(57)【要約】【課題】自動車内のような過酷な動作環境化においても、ＤＶＤオーディオ再生装置等の本来の高性能や高音質を享受することができるようにする。【解決手段】ＧＰＳ電波に含まれる時間パルスに基づいて生成される周波数を基準として、ディジタル・メディアを対象とする再生又は記録や、ＰＬＬ方式による同調を行うようにする。基準周波数の生成は、ＧＰＳ電波に含まれる時間パルスの信号をＰＬＬ回路を用いて周波数変換し、周波数変換された信号に基づいて行う。ＰＬＬ回路を構成する位相比較器２３、ループフィルタ２４、Ｄ／Ａ変換器２５ａ、電圧制御発振器２５ｂ等をカーナビゲーション装置と共用する。【選択図】      図２
2004273039.tif 000002
【特許請求の範囲】
【請求項１】
ＧＰＳ電波に含まれる時間パルスに基づいて生成される周波数を基準周波数として、ディジタル・メディアを対象とする再生又は記録を行う手段を有することを特徴とするディジタル・メディア装置。
【請求項２】
前記基準周波数に基づき前記ディジタル・メディアを回転させる手段を有することを特徴とする請求項１に記載の装置。
【請求項３】
前記ディジタル・メディアから得られるディジタルデータを、前記基準周波数に基づいてパルス幅変調又はパルス密度変調する手段と、該変調されたデータを平滑化してアナログ信号を出力する手段とを有することを特徴とする請求項１又は２に記載の装置。
【請求項４】
ＧＰＳ電波に含まれる時間パルスに基づいて生成される周波数を基準周波数としてＰＬＬ方式による同調を行う手段を有することを特徴とする同調装置。
【請求項５】
前記ＧＰＳ電波に含まれる時間パルスの信号をＰＬＬ回路を用いて周波数変換し、前記基準周波数として出力する基準周波数生成手段を有することを特徴とする請求項１〜４のいずれか１項に記載の装置。
【請求項６】
ＧＰＳ電波を受信し、前記時間パルスを出力するＧＰＳ受信機と、基準となる前記時間パルスの位相及びフィードバック信号の位相を比較し、比較結果をディジタル値に変換して出力する位相比較器と、前記位相比較器の出力に基づき電圧制御値を生成するループフィルタと、前記電圧制御値をＤ／Ａ変換して制御電圧を生成するＤ／Ａ変換器と、前記制御電圧に基づき対応する周波数で発振する電圧制御発振器と、前記電圧制御発振器の出力を所定の分周比で分周し、前記フィードバック信号として前記位相比較器にフィードバックする分周器とを具備することを特徴とする基準周波数生成装置。
【請求項７】
前記ループフィルタが出力する電圧制御値を所定の時間間隔で更新しながら記憶する記憶器と、前記記憶器又は位相比較器の出力のうちいずれを前記Ｄ／Ａ変換器への入力とするかを切り替える切替手段とを備え、前記切替手段は前記ＧＰＳ電波が受信不能であるときに前記記憶器の出力が前記Ｄ／Ａ変換器へ入力されるように切り替わるものであることを特徴とする請求項６に記載の装置。
【請求項８】
請求項６又は７の基準周波数生成装置の電圧制御発振器の出力を、前記基準周波数として用い、前記基準周波数生成装置のＧＰＳ受信機、位相比較器、ループフィルタ、及び同期発振器は、カーナビゲーション装置との間で共用されることを特徴とする請求項１〜４のいずれか１項に記載の装置。
【請求項９】
ＧＰＳ電波に含まれる時間パルスに基づいて生成される周波数を基準周波数として、ディジタル・メディアを対象とする再生又は記録を行う工程を有することを特徴とするディジタル・メディア再生・記録方法。
【請求項１０】
前記基準周波数に基づき前記ディジタル・メディアを回転させる工程を有することを特徴とする請求項９に記載の方法。
【請求項１１】
前記ディジタル・メディアから得られるディジタルデータを、前記基準周波数に基づいてパルス幅変調又はパルス密度変調する工程と、該変調されたデータを平滑化してアナログ信号を出力する工程とを有することを特徴とする請求項９又は１０に記載の方法。
【請求項１２】
ＧＰＳ電波に含まれる時間パルスに基づいて生成される周波数を基準周波数としてＰＬＬ方式による同調を行う工程を有することを特徴とする同調方法。
【請求項１３】
前記ＧＰＳ電波に含まれる時間パルスの信号をＰＬＬ回路を用いて周波数変換する工程と、該周波数変換された信号に基づいて前記基準周波数を出力する基準周波数生成工程とを有することを特徴とする請求項９〜１２のいずれか１項に記載の方法。
【請求項１４】
ＧＰＳ電波を受信し、時間パルスを出力するＧＰＳ電波受信工程と、基準となる前記時間パルスの位相及びフィードバック信号の位相を比較し、比較結果をディジタル値に変換して出力する位相比較工程と、前記位相比較工程の出力に基づき電圧制御値を生成する工程と、前記電圧制御値をＤ／Ａ変換して制御電圧を生成するＤ／Ａ変換工程と、前記制御電圧に基づき対応する周波数の発振信号を出力する発振工程と、前記発振工程の出力を所定の分周比で分周し、前記フィードバック信号として前記位相比較工程にフィードバックする工程とを具備することを特徴とする基準周波数発生方法。
【請求項１５】
前記電圧制御値生成工程で生成される電圧制御値を所定の時間間隔で更新しながら記憶する記憶工程と、前記記憶された電圧制御値又は前記電圧制御値生成工程で生成される電圧制御値のうちいずれを前記Ｄ／Ａ変換工程への入力とするかを切り替える切替工程とを備え、前記切替工程では、前記ＧＰＳ電波が受信不能であるときに前記記憶された電圧制御値が前記Ｄ／Ａ変換工程への入力となるように切り替えを行うことを特徴とする請求項１４に記載の方法。
【請求項１６】
前記基準周波数を請求項１４又は１５の方法により生成する工程を備え、前記ＧＰＳ受信工程、位相比較工程、電圧制御値生成工程、Ｄ／Ａ変換工程、及び発振工程を、カーナビゲーション装置において行うことを特徴とする請求項９〜１２のいずれか１項に記載の方法。
【発明の詳細な説明】
【０００１】
【発明の属する技術分野】
本発明は、ディジタル・メディア装置、同調装置、基準周波数生成装置、ディジタル・メディア再生・記録方法、同調方法、及び基準周波数生成方法に関する。
【０００２】
【従来の技術】
図４は、従来例に係るＤＶＤオーディオ再生装置の構成を示すブロック図である。この装置は、マスタ・クロックＭＣを生成する水晶発振子４１、マスタ・クロックＭＣに基づいてＤＶＤオーディオ・ディスク４２を回転させ、ディジタル音声信号ＤＧを得るＤＶＤオーディオ機構ユニット４３、マスタ・クロックＭＣに基づいてディジタル音声信号ＤＧをパルス幅変調するＤ／Ａコンバータ４４、及びＤ／Ａコンバータ４４の出力ＰＷを平滑化してアナログ音声信号ＡＮをアンプに向けて出力するローパスフィルタ４５を備える。Ｄ／Ａコンバータ４４はパルス密度変調を行う形式のものであってもよい。このようなパルス出力方式のＤ／Ａコンバータは、現在ほとんどのディジタルオーディオ製品で用いられているものである。
【０００３】
図５はＤ／Ａコンバータ４４等の動作を示す波形図である。ＤＶＤオーディオ機構ユニット４３からのディジタル音声信号ＤＧをアナログ音声信号ＡＮに変換する際、Ｄ／Ａコンバータ４４は、図５に示すように、マスタ・クロックＭＣに基づき、ディジタル音声信号ＤＧ中の各ディジタル値を対応するパルス幅のパルスに変換してパルス信号ＰＷを得る。ローパスフィルタ４５はこのパルス信号ＰＷを平滑化してアナログ信号ＡＮを出力する。
【０００４】
パルス出力方式のＤ／Ａコンバータを使用する場合、マスタ・クロックの精度が、得られる音声信号の品質等に大きく影響する。そこで、マスタ・クロックの温度による変動を抑制するため、マスタ・クロックを発生させるための制御電圧を、温度に応じて調整する技術が知られている（たとえば特許文献１参照）。
【０００５】
【特許文献１】
特開２００１−４４７５９号公報
【０００６】
【発明が解決しようとする課題】
しかしながら、パルス出力方式のＤ／Ａコンバータを用いる場合、マスタ・クロックが部分的に変動すると、それがそのまま出力パルスのパルス幅やパルス密度の変動となる。この変動が、ローパスフィルタを通ると、電圧ノイズとなり、音声信号に載ってしまうことになる。
【０００７】
図６はこの様子を示す。同図に示すように、区間Ｔにおいて、マスタ・クロックＭＣの周波数が前半で大きくなるとすれば、その分、対応する出力パルスＰＷのパルス幅が短くなる。そうすると、ローパスフィルタ４５の出力音声信号ＡＮにおける対応部分の出力電圧が低くなり、その差分Ｖｄが電圧ノイズとなって音声信号ＡＮに載ってしまう。
【０００８】
かかる現象を回避し、ＤＶＤオーディオ再生装置等の２４［ｂｉｔ］精度、つまり、理論Ｓ／Ｎ比及びダイナミックレンジ＝１４４［ｄＢ］を実現するためには、マスタ・クロックの周波数精度を２の２４乗分の１以下、つまり約０．０６［ｐｐｍ］以下とする必要がある。
【０００９】
しかし、汎用の水晶発振子を使用する場合、自動車の車内のように急激な温度変化や激しい振動などが存在する過酷な動作環境では、発振周波数精度が十数［ｐｐｍ］程度にまで低下してしまうことがある。そのため、従来のカーＤＶＤオーディオ再生装置では、ＣＤと同じ１６［ｂｉｔ］程度の精度、つまり２の１６乗分の１≒１５．３［ｐｐｍ］程度の精度しか得られず、ＤＶＤオーディオ再生装置本来の高性能や高音質を享受することができない。
【００１０】
本発明の目的は、このような従来技術の問題点に鑑み、自動車内のような過酷な動作環境下においても、ＤＶＤオーディオ再生装置等の本来の高性能や高音質を享受することができるようにすることにある。
【００１１】
【課題を解決するための手段】
この目的を達成するため、第１の発明に係るディジタル・メディア装置は、ＧＰＳ電波に含まれる時間パルスに基づいて生成される周波数を基準周波数としてディジタル・メディアを対象とする再生又は記録を行う手段を有することを特徴とする。
【００１２】
ここで、ディジタル・メディアとしては、たとえばＤＶＤ（Ｄｉｇｉｔａｌ  Ｖｅｒｓａｔｉｌｅ  Ｄｉｓｋ）等のディスク、ＤＡＴ（Ｄｉｇｉｔａｌ  Ａｕｄｉｏ  Ｔａｐｅ）等の磁気テープ、半導体メモリが該当する。「再生又は記録」には、再生のみ、記録のみ、並びに再生及び記録が含まれる。再生又は記録の内容としては、たとえば音や映像が該当する。時間パルスとは時刻基準信号のことであり、１ｐｐｓ（ｐｕｌｓｅ  ｐｅｒ  ｓｅｃｏｎｄ）信号とも呼ばれているものである。再生又は記録を行う動作には、たとえば、ディジタル・メディアを回転させることや、ディジタル・メディアから得られるディジタルデータを、基準周波数に基づいてパルス幅変調又はパルス密度変調し、該変調されたデータを平滑化してアナログ信号を出力することも含まれる。
【００１３】
第２の発明に係るディジタル・メディア装置は、第１発明において、前記基準周波数に基づき前記ディジタル・メディアを回転させる手段を有することを特徴とする。つまり、基準周波数を回転サーボ機構の基準クロックとして用いる等の場合である。
【００１４】
第３の発明に係るディジタル・メディア装置は、第１又は第２発明において、前記ディジタル・メディアから得られるディジタルデータを、前記基準周波数に基づいてパルス幅変調又はパルス密度変調する手段と、該変調されたデータを平滑化してアナログ信号を出力する手段とを有することを特徴とする。つまり、基準周波数をＤ／Ａ変換において用いる場合である。
【００１５】
第４の発明に係る同調装置は、ＧＰＳ電波に含まれる時間パルスに基づいて生成される周波数を基準周波数としてＰＬＬ方式による同調を行う手段を有することを特徴とする。同調装置としては、たとえばラジオ受信機、ＴＶ受信機、無線機等に用いられるものが該当する。
【００１６】
第５の発明に係る装置は、第１〜第４のいずれかの発明において、前記ＧＰＳ電波に含まれる時間パルスの信号をＰＬＬ回路を用いて周波数変換し、前記基準周波数として出力する基準周波数生成手段を有することを特徴とする。
【００１７】
第６の発明に係る基準周波数生成装置は、ＧＰＳ電波を受信し、前記時間パルスを出力するＧＰＳ受信機と、基準となる前記時間パルスの位相及びフィードバック信号の位相を比較し、比較結果をディジタル値に変換して出力する位相比較器と、前記位相比較器の出力に基づき電圧制御値を生成するループフィルタと、前記電圧制御値をＤ／Ａ変換して制御電圧を生成するＤ／Ａ変換器と、前記制御電圧に基づき対応する周波数で発振する電圧制御発振器と、前記電圧制御発振器の出力を所定の分周比で分周し、前記フィードバック信号として前記位相比較器にフィードバックする分周器とを具備することを特徴とする。
【００１８】
第７の発明に係る基準周波数生成装置は、第６発明において、前記ループフィルタが出力する電圧制御値を所定の時間間隔で更新しながら記憶する記憶器と、前記記憶器又は位相比較器の出力のうちいずれを前記Ｄ／Ａ変換器への入力とするかを切り替える切替手段とを備え、前記切替手段は前記ＧＰＳ電波が受信不能であるときに前記記憶器の出力が前記Ｄ／Ａ変換器へ入力されるように切り替わるものであることを特徴とする。
【００１９】
第８の発明に係る装置は、第６又は第７の発明に係る基準周波数生成装置の電圧制御発振器の出力を、前記基準周波数として用い、前記基準周波数生成装置の前記ＧＰＳ受信機、位相比較器、ループフィルタ、及び同期発振器は、カーナビゲーション装置との間で共用されることを特徴とする。
【００２０】
第９の発明に係るディジタル・メディア再生・記録方法は、ＧＰＳ電波に含まれる時間パルスに基づいて生成される周波数を基準周波数として、ディジタル・メディアを対象とする再生又は記録を行う工程を有することを特徴とする。
第１０の発明に係るディジタル・メディア再生・記録方法は、第９発明において、前記基準周波数に基づき前記ディジタル・メディアを回転させる工程を有することを特徴とする。
【００２１】
第１１の発明に係るディジタル・メディア再生・記録方法は、第９又は第１０発明において、前記ディジタル・メディアから得られるディジタルデータを、前記基準周波数に基づいてパルス幅変調又はパルス密度変調する工程と、該変調されたデータを平滑化してアナログ信号を出力する工程とを有することを特徴とする。
【００２２】
第１２の発明に係る同調方法は、ＧＰＳ電波に含まれる時間パルスに基づいて生成される周波数を基準周波数としてＰＬＬ方式による同調を行う工程を有することを特徴とする。
【００２３】
第１３の発明に係る方法は、第９〜第１２のいずれかの発明において、前記ＧＰＳ電波に含まれる時間パルスの信号をＰＬＬ回路を用いて周波数変換する工程と、該周波数変換された信号に基づいて前記基準周波数を出力する基準周波数生成工程とを有することを特徴とする。
【００２４】
第１４の発明に係る基準周波数発生方法は、ＧＰＳ電波を受信し、時間パルスを出力するＧＰＳ電波受信工程と、基準となる前記時間パルスの位相及びフィードバック信号の位相を比較し、比較結果をディジタル値に変換して出力する位相比較工程と、前記位相比較工程の出力に基づき電圧制御値を生成する工程と、前記電圧制御値をＤ／Ａ変換して制御電圧を生成するＤ／Ａ変換工程と、前記制御電圧に基づき対応する周波数の発振信号を出力する発振工程と、前記発振工程の出力を所定の分周比で分周し、前記フィードバック信号として前記位相比較工程にフィードバックする工程とを具備することを特徴とする。
【００２５】
第１５の発明に係る基準周波数発生方法は、第１４発明において、前記電圧制御値生成工程で生成される電圧制御値を所定の時間間隔で更新しながら記憶する記憶工程と、前記記憶された電圧制御値又は前記電圧制御値生成工程で生成される電圧制御値のうちいずれを前記Ｄ／Ａ変換工程への入力とするかを切り替える切替工程とを備え、前記切替工程では、前記ＧＰＳ電波が受信不能であるときに前記記憶された電圧制御値が前記Ｄ／Ａ変換工程への入力となる切り替えを行うことを特徴とする。
【００２６】
第１６の発明に係る方法は、第９〜第１２のいずれかの発明において、前記基準周波数を第１４又は第１５発明の方法により生成する工程を備え、前記ＧＰＳ受信工程、位相比較工程、電圧制御値生成工程、Ｄ／Ａ変換工程、及び発振工程を、カーナビゲーション装置において行うことを特徴とする。
【００２７】
【発明の実施の形態】
図１は本発明の一実施形態に係るＤＶＤオーディオ・プレーヤの主要部の構成を示すブロック図である。この装置はＧＰＳ電波に含まれる時間パルスに基づいて生成されるクロック信号を基準として、ＤＶＤについての再生を行うものである。この装置は、前記基準クロック信号として１０［ＭＨｚ］のクロック信号を出力するクロック生成部１、クロック生成部１からのクロック信号を分周する等により必要な周波数変換を行ってマスタ・クロックＭＣを出力する周波数変換器２、マスタ・クロックＭＣに基づいてＤＶＤオーディオ・ディスク３を回転させ、ディジタル音声信号ＤＡを得るＤＶＤオーディオ機構ユニット４、ディジタル音声信号ＤＡをパルス幅変調するＤ／Ａコンバータ５、及びＤ／Ａコンバータ５の出力を平滑化してアナログ音声信号を取得し、アンプ等に出力するローパスフィルタ６を備える。
【００２８】
図２はクロック生成部１の構成を示すブロック図である。クロック生成部１はカーナビゲーション装置で用いているＧＰＳアンテナ２１、ＧＰＳ受信機２２、位相比較器２３、ループフィルタ２４、同期発振器２５等を用いて構成され、ＰＬＬによりＧＰＳ電波に含まれる時間パルスを周波数変換するものである。図中の２６は、一定のサンプリング間隔で同期発振器２５への入力信号を記憶する記憶器、２７は同期発振器２５への入力をループフィルタ２４からの入力と、記憶器２６からの入力とで切り替えるスイッチ、２８は同期発振器２５が出力するクロック信号を分周して位相比較器２３にフィードバックする分周器である。
【００２９】
ＧＰＳ受信機２２はアンテナ２１を介してＧＰＳ電波を受信して復調し、１［ｐｐｓ］±１［μｓ］の時刻信号を出力するものである。ＧＰＳ電波は１．５７５４２［ＧＨｚ］の搬送波を有し、スペクトラム拡散変調方式により時刻信号を送るものである。拡散コードのチップレートは１０２３［Ｍｃｐｓ］である。位相比較器２３はＧＰＳ受信機２２の出力信号の位相と、分周器２８の出力信号の位相とを比較し、比較結果をディジタル信号に変換して出力するものである。
【００３０】
ループフィルタ２４は、位相比較器２３の出力結果について移動平均を求め、過去の周波数変位のデータから次回の制御電圧を推定予測する推定演算を行う推定演算部２４ａ、推定演算部２４ａからの制御電圧値に対し、所定の積分定数を乗算し、直前の積分演算値を加算することにより積分演算を行う積分演算部２４ｂ、推定演算部２４ａからの制御電圧値に対し、所定の比例定数を乗算して比例演算を行う比例演算部２４ｃ、及び、積分演算部２４ｂからの積分演算値と、比例演算部２４ｃからの比例演算値とを加算した制御電圧値を出力する加算器２４ｄを有する。移動平均値の推移に応じて、平均するデータ数、積分定数、及び比例定数を調整することにより、周波数の引込み動作が速やかに行えるようになっている。
【００３１】
スイッチ２７は、ＧＰＳ電波が受信できている間はループフィルタ２４の出力がそのまま同期発振器２５へ入力されるように端子ａ側に接続し、本装置を搭載した車輌がトンネルに入る等によって一時的にＧＰＳ電波を受信できなくなった場合には、記憶器２６の値が同期発振器２５に入力されるように、端子ｂ側に切り替わるようになっている。同期発振器２５は、入力される制御電圧値をアナログ信号に変換して制御電圧を出力するＤ／Ａ変換器２５ａ、及びＤ／Ａ変換器２５ａからの制御電圧に対応する周波数で発振し、クロック信号を出力する電圧制御発振器２５ｂを有する。
【００３２】
この構成において、アンテナ２１を介して受信するＧＰＳ電波に基づき、ＧＰＳ受信機２２が１［ｐｐｓ］のパルス信号を位相比較器２３へ出力すると、位相比較器２３はこのパルス信号と、分周器２８を経て１／１０００００００に分周されて同期発振器２５からフィードバックされる信号との位相差に応じたディジタル値をループフィルタ２４に出力する。この値に基づき、ループフィルタ２４は制御電圧値を、スイッチ２７を経て、同期発振器２５へ出力する。この制御電圧値に基づき、同期発振器２５は対応する周波数のクロック信号を出力する。この間、ループフィルタ２４による調整作用により、同期発振器２５の出力周波数が固定されると、０．０１［ｐｐｍ］以下という高精度な１０［ＭＨｚ］のクロック信号を生成するようになる。
【００３３】
一方、本装置を搭載した車輌がトンネル内に進入し、ＧＰＳ電波を受信できなくなると、その旨が検出され、これに応じてスイッチ２７は端子ｂの方に切り替わる。すると、記憶器２６に記憶されている制御電圧値が同期発振器２５に出力されるようになる。これにより、トンネルへの進入前の同期発振器２５の発振周波数が維持される。トンネルを抜けて、再びＧＰＳ電波が受信できるようになると、これに応じてスイッチ２７は端子ａの方に切り替わるので、引き続きＧＰＳ電波に基づく高精度なクロック信号の生成が行われる。
【００３４】
このようにして得られるクロック生成部１からの信号は、周波数変換器２によりマスタ・クロック信号ＭＣに変換され、ＤＶＤオーディオ機構ユニット４及びＤ／Ａコンバータ５に供給される。ＤＶＤオーディオ機構ユニット４はこのマスタ・クロックＭＣに基づく信号を回転サーボ機構の基準クロックとして用いてＤＶＤオーディオ・ディスク３を回転させ、ディジタル音声信号を取得して、Ｄ／Ａコンバータ５に供給する。Ｄ／Ａコンバータはこのディジタル音声信号をマスタ・クロックＭＣに基づいてＤ／Ａ変換し、ローパスフィルタ６を介して外部のアンプ等に出力する。
【００３５】
本実施形態によれば、ＧＰＳ電波に含まれる時間パルスに基づいて生成される高精度なマスタ・クロックＭＣを基準としてＤＶＤオーディオ・ディスクの再生を行うことができる。そして、ＧＰＳ受信機２２、位相比較器２３、ループフィルタ２４、同期発振器２５等を、カーナビゲーション装置と共用しているため、ＧＰＳ方式のカーナビゲーションシステムを車輌に搭載する場合、さほどコストをかけずに２４［ｂｉｔ］の精度に迫る極めて高性能で高音質のＤＶＤオーディオ・ディスク・プレーヤを提供することができる。また、ＧＰＳ電波の受信状況に応じて、同期発振器２５への入力を、ループフィルタ２４からの入力と、記憶器２６からの入力とで切り替えることができるようにしたため、トンネル等に進入したときでも、高精度な再生を支障なく継続することができる。
【００３６】
図３は本発明の他の実施形態に係るラジオの電子チューナの構成を示すブロック図である。同図に示すように、このチューナは、基準周波数の信号を生成する基準周波数生成部３１、アンテナ３２を経て受信されるＦＭ又はＡＭ放送の電波から、指定された周波数に同調してその周波数の変調波を抽出する同調回路３３、抽出された変調波を復調して音声信号に変換し、アンプに出力する復調回路３４を備える。
【００３７】
同調回路３３は、アンテナ３２からのＲＦ信号と混合される局部発振信号を、ＰＬＬ（Ｐｈａｓｅ  Ｌｏｃｋｅｄ  Ｌｏｏｐ）回路を用いて生成し、同調を行うものである。この場合、ＰＬＬ回路が参照する基準周波数と同レベルの精度で同調周波数が制御されるため、基準周波数としては精度の高いものが要求される。そこで、基準周波数生成部３１として、図２のクロック生成部と同じ構成を有するものを用いている。
【００３８】
したがって、同調回路３３は基準周波数生成部３１からの０．０１［ｐｐｍ］以下という高精度な１０［ＭＨｚ］の基準周波数を用い、高精度で同調を行うことができる。したがって、同調周波数のずれをほとんど発生することがなく、ノイズの少ないクリアな音声信号を出力することができる。
【００３９】
なお、本発明は上述の実施形態に限定されることなく適宜変形して実施することができる。たとえば、上述実施形態においてはＤＶＤオーディオ・プレーヤやラジオの電子チューナに本発明を適用した場合について述べたが、本発明は、ＤＶＤ以外の他のディスク・メディアや、磁気テープ、半導体メモリ等の他のメディアに記録された音声や映像を再生する装置に適用することもできる。また、再生装置に限らず、録音装置に適用することもできる。さらに、ＴＶ受像機や、無線機等の他の電波受信機に適用することもできる。
【００４０】
【発明の効果】
以上説明したように本発明によれば、ＧＰＳ電波に含まれる時間パルスに基づいて生成される周波数を基準周波数として、ディジタル・メディアを対象とする再生又は記録を行うようにしたため、高精度で歪みのない再生又は記録を行うことができる。
【００４１】
また、ＧＰＳ電波に含まれる時間パルスに基づいて生成される周波数を基準周波数としてＰＬＬ方式による同調を行うようにしたため、高精度で安定した同調を行うことができる。
【図面の簡単な説明】
【図１】本発明の一実施形態に係るＤＶＤオーディオ・プレーヤの主要部の構成を示すブロック図である。
【図２】図１のプレーヤにおけるクロック生成部の構成を示すブロック図である。
【図３】本発明の他の実施形態に係るラジオの電子チューナの構成を示すブロック図である。
【図４】従来例に係るＤＶＤオーディオ再生装置の構成を示すブロック図である。
【図５】図４の装置におけるＤ／Ａコンバータ等の動作を示す波形図である。
【図６】図４の装置の問題点を説明するための波形図である。
【符号の説明】
１：クロック生成部、２：周波数変換器、３：ＤＶＤ、４：ＤＶＤオーディオ機構ユニット、５：Ｄ／Ａコンバータ、６：ローパスフィルタ、２１：アンテナ、２２：ＧＰＳ受信機、２３：位相比較器、２４：ループフィルタ、２４ａ：推定演算部、２４ｂ：積分演算部、２４ｃ：比例演算部、２４ｄ：加算器、２５：同期発振器、２５ａ：Ｄ／Ａ変換器、２５ｂ：電圧制御発振器、２６：記憶器、２７：スイッチ、２８：分周器、３１：基準周波数発生部、３２：アンテナ、３３：同調回路、３４：復調回路、４１：水晶発振子、４２：ＤＶＤ、４３：ＤＶＤオーディオ機構ユニット、４４：Ｄ／Ａコンバータ、４５：ローパスフィルタ。
【図１】
2004273039.tif 000003
【図２】
2004273039.tif 000004
【図３】
2004273039.tif 000005
【図４】
2004273039.tif 000006
【図５】
2004273039.tif 000007
【図６】
2004273039.tif 000008